(57)【要約】【課題】ガイドワイヤーに電流を流し、それに接触することでリレーを動作させたり、上下移動するカウンターウェイトにセンサ等を取り付けたりすることなく、カウンターウェイトレールからの離脱やカウンターウェイトレールの損傷等、エレベーター装置の異常を長期にわたり確実に検出できるようにする。【解決手段】カウンターウェイトレール２ａに平行となるようにワイヤー７ａを張設し、このワイヤー７ａをカウンターウェイト１に設けられた接触子９ａの開口１０ａに挿通する。張力値検出装置１１ａにより検出したワイヤー７ａの張力を、制御盤により監視・判定し、カウンターウェイト１及びカウンターウェイトレール２ａの異常状況や稼働状況を検出する。【選択図】図１
2017061372.tif 000002
【特許請求の範囲】
【請求項１】
カウンターウェイトレールと平行となるように張設したワイヤーをカウンターウェイトに設けられた接触子の開口に挿通し、前記ワイヤーの張力を検出する張力値検出装置を介在させて計測することにより、カウンターウェイト及びカウンターウェイトレールの異常を検出するようにしたことを特徴とするエレベーター装置の異常検出装置。
【請求項２】
前記歪みゲージあるいはロードセルにより検出した前記ワイヤーの張力を常時監視し、張力の経年的な変化に基づいて、異常検出信号また警報信号をエレベーター装置の制御盤に出力また表示するようにしたことを特徴とする請求項１に記載のエレベーター装置の異常検出装置。
【請求項３】
前記異常信号または警報信号を、遠隔監視・点検システムを介してサービスセンターに伝送し、遠隔点検を行うようにしたことを特徴とする請求項２に記載のエレベーター装置の異常検出装置。
【発明の詳細な説明】
【技術分野】
【０００１】
本発明は、地震などの影響によりエレベーター装置がガイドレールから離脱したことや、ガイドレールに重大な損傷が発生したことを検出するエレベーター脱レール検出装置に関する。
【背景技術】
【０００２】
バランスカウンターウェイト（以下、単に「カウンターウェイト」という。）は、エレベーター乗りかごの上下移動に沿って、エレベーター乗りかごと反対の方向に上下移動する。エレベーター乗りかごとカウンターウェイトは、その両側面上下にガイドシューが設けられ、このガイドシューをカウンターウェイトレールにはめ込み、エレベーター乗りかごとカウンターウェイトは、干渉しないように案内されている。
【０００３】
一定以上の震度の地震が発生した際、地震管制運転を行い、エレベーター乗りかごを最寄り階に停止させる。地震時管制運転休止後、「自動診断・復旧システム」が動作し、エレベーター装置に重大な損傷が発生していないか診断を行う。
【０００４】
特許文献１には、位置検出器によるレール検出、移動ケーブル施工方法が記載されている。
特許文献２には、接触子を利用しアースへ落とす検出方法が記載されている。
【先行技術文献】
【特許文献】
【０００５】
【特許文献１】特開平７-１３７９５１
【特許文献２】国際公開第２０１１／０１０３７６号
【発明の概要】
【発明が解決しようとする課題】
【０００６】
カウンターウェイトがカウンターウェイトレールから離脱していないことを検出するために、特許文献１に記載されているようなカウンターウェイト脱離検出センサーを用いた場合、カウンターウェイトレールの状態を検出するためには、信号を取り込むための移動ケーブルの施工が必要となり、昇降路の移動ケーブル設置スペースの確保に問題がある。
特許文献２に記載された検出方法では、ガイドワイヤーを設置して電流を流し、それに接触することでリレーを動作させ、脱レールを検出しているため、ごみ、ほこり、錆びなどによる接触抵抗変化やエレベーター装置の構造上でのアース不良などの影響を受ける可能性がある。
【０００７】
そこで、発明の課題は、カウンターウェイトがカウンターウェイトレールから離脱したことやカウンターウェイトレールの損傷を誤検出することなく、長期にわたり確実に検出できるようにすることにある。
【課題を解決するための手段】
【０００８】
この課題を解決するため、本発明のエレベーター脱レール検出装置においては、上下動するカウンターウェイトから独立し、静止位置にカウンターウェイトレールと平行となるように張設されたワイヤー（金属細線類）の張力を、歪みゲージあるいはロードセル等からなる張力値検出装置を介在させて計測し、その信号をエレベーター制御に取り込み、張力が所定値を超えたことにより、カウンターウェイトのガイドシューがカウンターウェイトレールから外れたこと、あるいは、カウンターウェイトレールが損傷したこと等の異常を検出するようにした。
【発明の効果】
【０００９】
本発明によれば、ワイヤーの張力を計測するので、ごみ、ほこり、錆びなどによる接触抵抗値の変化に影響されることなく、移動ケーブルも不要とし、長期にわたり確実に検出することができる。
また、エレベーター保守管理の観点では、ワイヤーの通常の張力状況を常時監視し、経年的な軽微な張力の変化に基づいて、警報また表示などを出力することによりメンテナンス作業を軽減することができる。
【図面の簡単な説明】
【００１０】
【図１】図１は、カウンターウェイトとカウンターウェイトレールの側面図である。
【図２】図２は、カウンターウェイトとカウンターウェイトレールの平面図である。
【図３】図３は、カウンターウェイトとカウンターウェイトレールの正面図である。
【図４】図４は、ガイドシューがカウンターウェイトレールから外れた状態を示す図である。
【図５】図５は、カウンターウェイトレールの要部を拡大した図である。
【発明を実施するための形態】
【００１１】
以下、本発明を実施するための形態を図面を参照しつつ説明する。
【実施例】
【００１２】
図１、図２、図３は、それぞれ、カウンターウェイトとカウンターウェイトレールの側面図、平面図、正面図である。
カウンターウェイト１は、メインシーブに掛け渡されたメインロープにより乗りかごと連結されている。カウンターウェイト１の両側面に、コの字状のガイドシュー３ａ、３ｂが設けられている。
レールブラケット５ａ、５ｂにはレールクリップ４ａ、４ｂにより、カウンターウェイトレール２ａ、２ｂが取り付けられている。このカウンターウェイトレール２ａ、２ｂの先端部が、カウンターウェイト１の両側面に設けられたガイドシュー３ａ、３ｂの内部に嵌入し、カウンターウェイト１はカウンターウェイトレール２ａ、２ｂに沿って、スムースに上下動できるように案内している。
【００１３】
カウンターウェイトレール２ａ、２ｂの上端と下端には、カウンターウェイトレール２ａ、２ｂから離隔する方向に延びるワイヤー取付部６ａ、６ｂが、レールクリップ４ａ、４ｂにより取り付けられている。ワイヤー取付部６ａと６ｂの間には、カウンターウェイト１の左右両端にカウンターウェイトレール２ａ、２ｂと平行に、２本のワイヤー（金属細線類）７ａ、７ｂが張設され、ターンバックル８ａ、８ｂにより、それぞれ所定の張力値に設定されている。
【００１４】
ワイヤー７ａ、７ｂの直径を考慮し、接触子９ａ、９ｂの開口１０ａ、１０ｂの直径を最適な値に設定するが、電流検出とは異なり、異常な張力値に到達しない程度の接触は異常検出に影響しないことから、開口は小さくすることも可能である。
【００１５】
図４は、大きな地震による、ガイドシュー３ｂがカウンターウェイトレール２ｂから外れた状態を示している。
このように、ガイドシュー３ａ、３ｂがカウンターウェイトレール２ａ、２ｂから外れたり、カウンターウェイトレール２ａ、２ｂが大きく折れ曲がるなどの損傷が発生すると、ワイヤー７ａ、７ｂと接触子９ａ、９ｂが接触し、ワイヤー７ａ、７ｂに所定の張力設定より大きな張力値が発生する。
【００１６】
図５に示すように、ワイヤー７ａ、７ｂに歪みゲージあるいはロードセル等からなる張力値検出装置１１ａ、１１ｂを介在させ、その検出値を制御盤１２に入力して張力値を判定し、カウンターウェイト１がカウンターウェイトレール２ａ、２ｂから離脱を検出した場合、エレベーターの運転継続を遮断する。
【００１７】
制御盤１２は、ワイヤー７ａ、７ｂの張力値を常時監視し、張力値に何らかの変化、あるいは経年的な軽微な張力の変化が発生した場合、異常検出信号または警報信号を出力または表示する。また、遠隔監視・点検システム１３を備えるエレベーターでは、その情報をサービスセンターに自動通報し、この通報に基づいて、サービスセンターは保守員を訪問させ、状況を確認し、整備また維持する。
【００１８】
以上の実施例では、カウンターウェイトの左右両側端に挿通された２本のワイヤーの張力でカウンターウェイトの異常を検出するようにした。これにより、左右いずれのカウンターウェイトレール側で異常が発生したかを判定することもできる。
しかし、エレベーターの仕様によっては、カウンターウェイトの中央にのみ接触子を設け、１本のワイヤーの張力によっても、カウンターウェイトの異常を検出することができる。
また、実施例では、シーブが取り付けられた形式のカウンターウェイトを採用しているが、本発明は、シーブが取り付けられていない形式のカウンターウェイトにも適用できる。
【００１９】
要は、ワイヤーをカウンターウェイトレールに対し平行に、すなわち鉛直方向に張設すればよいので、カウンターウェイト、カウンターウェイトレールの構造や配置、他の機器との関係で、ワイヤーの取付位置や取付構造を種々選定することができる。
【００２０】
本実施例によれば、ワイヤーに電流を流す検出とは異なり、異常な張力値に到達しない程度の接触は異常検出に影響しない。
すなわち、エレベーターが正常に運行している際、カウンターウェイト１が揺動したり、カウンターウェイトレール２ａ、２ｂとワイヤー７ａ、７ｂの鉛直性に多少の誤差や、ワイヤー７ａ、７ｂが接触子９ａ、９ｂ何等かに若干の接触があっても、張力値の変化を計測判定していることにより、誤検出を避けることができる。
【産業上の利用可能性】
【００２１】
以上説明したように，本発明によれば、上下動するカウンターウェイトから完全に独立し、静止位置で張設されたワイヤーの張力に基づいて、カウンターウェイトの異常を長期にわたり確実に検出することができる。しかも保守負担を軽減するとともに、誤診断による無用な運転停止を防止することができるので、エレベーターの異常検出装置として広く採用されることが期待できる。
【符号の説明】
【００２２】
１；カウンターウェイト              ２ａ、２ｂ；カウンターウェイトレール
３ａ、３ｂ；ガイドシュー            ４ａ、４ｂ；レールクリップ
５ａ、５ｂ；レールブラケット        ６ａ、６ｂ；ワイヤー取付部
７ａ、７ｂ；ワイヤー                ８ａ、８ｂ；ターンバックル
９ａ、９ｂ；接触子                  １０ａ、１０ｂ；開口
１１ａ、１１ｂ；張力値検出装置      １２；制御盤
１３；遠隔監視システム              １４ａ、１４ｂ；ワイヤークリップ
【図１】
2017061372.tif 000003
【図２】
2017061372.tif 000004
【図３】
2017061372.tif 000005
【図４】
2017061372.tif 000006
【図５】
2017061372.tif 000007
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
エレベーター乗りかごの上下移動に沿って、当該エレベーター乗りかごと反対の方向に上下移動するカウンターウェイトと、
前記カウンターウェイトの両側面上下に設けられ、前記カウンターウェイトレールにはめ込まれて、当該カウンターウェイトレールを上下移動するガイドシューと、
前記カウンターウェイトレールと平行となるように張設したワイヤーと、
前記ワイヤーを挿通する開口を有する接触子と、
前記ワイヤーの線上に介在され、当該ワイヤーの張力を検出する張力値検出装置と、
を備えたエレベーター装置の異常検出装置であって、
前記接触子は、前記カウンターウェイトに、かつ、当該カウンターウェイトの前記ガイドシューが取り付けられていない前後面の一方に設けられており、
前記ガイドシューが前記カウンターウェイトレールから外れ、また、前記カウンターウェイトレールに損傷が発生し、前記ワイヤーと前記接触子が接触したとき、
前記ワイヤー７に発生する張力値を前記張力値検出装置にて検出し、当該ワイヤーの張力値が所定の張力設定値を超えた場合、前記カウンターウェイト及び前記カウンターウェイトレールの異常を検出することを特徴とするエレベーター装置の異常検出装置。
【請求項２】
前記張力値検出装置は、歪みゲージあるいはロードセルからなり、前記ワイヤーの張力を常時監視し、前記ワイヤーが前記接触子に接触し、当該ワイヤーの張力が所定値を超えた変化あるいは経年的な変化が発生した場合、当該ワイヤーの張力の変化あるいは経年的な変化に基づいて、前記カウンターウェイトがカウンターウェイトレールから離脱、前記カウンターウェイトレールに損傷が発生したことを示す異常検出信号または警報信号をエレベーター装置の制御盤（１２）に出力また表示するようにしたことを特徴とする請求項１に記載のエレベーター装置の異常検出装置。
【請求項３】
前記異常検出信号または警報信号を、遠隔監視システムを介してサービスセンターに伝送し、遠隔点検を行うようにしたことを特徴とする請求項２に記載のエレベーター装置の異常検出装置。